【手続補正書】
【提出日】平成28年8月23日(2016.8.23)
【手続補正１】
【補正対象書類名】特許請求の範囲
【補正対象項目名】請求項６
【補正方法】変更
【補正の内容】
【請求項６】
請求項２に記載の記録装置であって、
前記制御手段は、
前記所定の輸送準備条件が成立した場合に、
前記情報が前記検出手段によって検出されたインク残量が前記閾値以上であることを示す場合は、前記吸引手段に、第１のインク量のインクを前記記録ヘッドから吸引させ、
前記情報が前記検出手段によって検出されたインク残量が前記閾値未満であることを示す場合は、前記吸引手段に、前記第１のインク量よりも多い第２のインク量のインクを前記記録ヘッドから吸引させる、
ことを特徴とする記録装置。
【手続補正２】
【補正対象書類名】特許請求の範囲
【補正対象項目名】請求項７
【補正方法】変更
【補正の内容】
【請求項７】
請求項２に記載の記録装置であって、
前記インク貯留部は、
前記記録装置に着脱可能なインクタンクと、
前記記録装置に固定されたサブタンクと、を備え、
前記サブタンクは前記インクタンクと連通し、
前記インク通路は前記サブタンクと連通し、
前記大気連通室は前記インクタンクと連通し、
前記制御手段は、
前記所定の輸送準備条件が成立した場合に、
前記吸引手段に、第１のインク量のインクを吸引させ、かつ、
前記情報が前記検出手段によって検出されたインク残量が前記閾値未満であることを示す場合は、前記インクタンクが取り外された後に、更に、前記吸引手段に、第２のインク量のインクを吸引させる、
ことを特徴とする記録装置。
【手続補正３】
【補正対象書類名】明細書
【補正対象項目名】００１５
【補正方法】変更
【補正の内容】
【００１５】
本実施形態では、記録ヘッド１０００が複数種類のインクを吐出可能な構成を想定している。インク吐出口面１００２には、インク吐出口列１００１Ｃ、１００１Ｍ、１００１Ｙ、１００１ＭＢｋ１、１００１ＭＢｋ２及び１００１ＰＢｋ（以下、総称する場合はインク吐出口列１００１と呼ぶ）が形成されている。各インク吐出口列１００１は、列状に配置された複数のインク吐出口（ノズルと呼ぶ場合がある）を備える。インク吐出口は、１列につき、例えば、１２８０個配設され、それぞれの間隔は例えば、１２００ｄｐｉ（ドット／インチ）である。インク吐出口の配列方向は、Ｘ方向及びＺ方向と直交する方向（Ｙ方向又は副走査方向と呼ぶ場合がある）である。各インク吐出口内部には、例えば、電気熱変換体が備えられる。この電気熱変換体に駆動信号に基づいた電気信号を印加することによって、インクに気泡を発生させ、その気泡の圧力によって、インクをインク吐出口から吐出させることが可能となる。
【手続補正４】
【補正対象書類名】明細書
【補正対象項目名】００１８
【補正方法】変更
【補正の内容】
【００１８】
記録媒体は、不図示の搬送機構によってプラテン１２００上を副走査方向に搬送される。搬送機構は、例えば、搬送用のモータと、モータの出力により回転するローラ対等から構成される。記録媒体は、例えば、プラテン１２００上を副走査方向に間欠的に搬送される。記録媒体の停止中に、キャリッジ１１００が主走査方向に往復走査される。その往復走査中に、記録ヘッド１０００のインク吐出口からインクが記録媒体に向けて吐出され、画像の記録が行われる。記録媒体の間欠的な搬送と、キャリッジ１１００の往復走査中のインク吐出とを繰り返すことで、１枚の記録媒体への画像の記録が完成する。
【手続補正５】
【補正対象書類名】明細書
【補正対象項目名】００２２
【補正方法】変更
【補正の内容】
【００２２】
本実施形態の場合、吸引ユニット１０は、インク吐出口のグループ毎にインクを吸引可能である。キャップ１０１０はインク吐出口列１００１Ｃ、１００１Ｍ及び１００１Ｙから構成されるグループをキャッピングする。したがって、キャップ１０１０によって、これらのインク吐出口列からインクを吸引可能である。キャップ１０２０は、インク吐出口列１００１ＭＢｋ１、１００１ＭＢｋ２及び１００１ＰＢｋから構成されるグループをキャッピングする。したがって、キャップ１０２０によって、これらのインク吐出口列からインクを吸引可能である。
【手続補正６】
【補正対象書類名】明細書
【補正対象項目名】００５９
【補正方法】変更
【補正の内容】
【００５９】
Ｓ１では、インク貯留部２０のインク残量を検出する。サブタンク２０１０内のインクの残量はセンサ２０１２及びドットカウンタにより検出する。シアン、マゼンタ、イエロー、マットブラック、フォトブラックの各インクのサブタンク２０１０のインク残量を、ＳＣ、ＳＭ、ＳＹ、ＳＭＢｋ、ＳＰＢｋとする。総称する場合はＳと表記する
インクタンク２０２０内のインクの残量はセンサ２０２１及びドットカウンタにより検出する。シアン、マゼンタ、イエロー、マットブラック、フォトブラックの各インクのインクタンク２０２０のインク残量を、ＩＣ、ＩＭ、ＩＹ、ＩＭＢｋ、ＩＰＢｋとする。総称する場合はＩと表記する。
【手続補正７】
【補正対象書類名】明細書
【補正対象項目名】００６６
【補正方法】変更
【補正の内容】
【００６６】
Ｓ５１２０では、インクタンク２０２０ＭＢｋが空に近いか否かの判定が行われる。この判定には、センサ２０２１ＭＢｋの検出結果が用いられる。Ｓ５１２０における判定結果が、肯定判定、すなわち、インクタンク２０２０ＭＢｋ内のインク残量が空に近い状態である場合にはＳ５１３０へと進む。この場合も、後述するサブタンク充填フラグはオンにしない。インクタンク２０２０ＭＢｋ内のインク残量が空に近い状態であるため、サブタンク充填動作を行っても、サブタンク２０１０ＭＢｋ内へ充填されるインクがほとんどないからである。
【手続補正８】
【補正対象書類名】明細書
【補正対象項目名】００８６
【補正方法】変更
【補正の内容】
【００８６】
一方、Ｓ５５００における判定結果が否定判定、すなわち、ＴＯＹがＴＨＹ以上である場合には、Ｓ５５５０へと進んで、インクタンク２０２０Ｙの交換表示フラグをオフにし、一単位の処理を終了する。
【手続補正９】
【補正対象書類名】明細書
【補正対象項目名】０１２０
【補正方法】変更
【補正の内容】
【０１２０】
この吸引量Ａは、全インクタンク２０２０を記録装置１に装着しない状態で、記録装置１を輸送した場合に、各大気連通室２０３０からインクが漏れ出すことがないような値に設定されている。たとえば、輸送条件として、記録装置１の最大傾斜角が３０°程度とし、３０°程度傾いた状態での環境温度変動は大きくないと想定する。このような輸送条件の下、大気連通室２０３０の大気連通口２０３２から大気連通室２０３０内のインクが漏出しないように吸引量Ａを設定することができる。例えば、上記輸送条件において、漏出しないと推定される、大気連通室２０３０の推定インク残量が演算される。すると、大気連通室２０３０の容積と推定インク残量から吸引量Ａを演算することが可能となる。例えば、吸引量Ａ≧容積−推定インク残量、とすることができる。
【手続補正１０】
【補正対象書類名】明細書
【補正対象項目名】０１３９
【補正方法】変更
【補正の内容】
【０１３９】
Ｓ６１００における判定結果が否定判定、処理対象のサブタンク２０１０が満タンでない場合には、Ｓ６１１０へ進む。Ｓ６１１０では、処理対象のサブタンク２０１０に連通するインクタンク２０２０が、センサ２０２１の検出結果に基づき、空に近い状態であるか否かの判定が行われる。
【手続補正１１】
【補正対象書類名】明細書
【補正対象項目名】０１６０
【補正方法】変更
【補正の内容】
【０１６０】
Ｓ６４００における判定結果が否定判定、すなわち、キャップ１フラグもキャップ２フラグもオフである場合には、吸引排出動作その他の処理を行うことなく、二次輸送フラグをオフ（Ｓ６５００）にする。各インク吐出口列１００１及び供給チューブ２００１内の在留インクは廃棄せずに利用される。その後、一単位の処理を終了する。
以上のように、輸送後立ち上げ処理では、エアの入っている可能性のある供給チューブ２００１に対しては、当該供給チューブ２００１に連通するインク吐出口列１００１に対応するキャップから吸引量Ｂの吸引排出動作を行う。その際、インク吐出口列１００１のグループ毎に吸引排出動作を行う。つまり、キャップ１０１０に対応するインク吐出口列１００１のグループについて、インク供給系にエアが入っている可能性が無い場合は、キャップ１０１０の吸引排出動作は行わない。同様に、キャップ１０２０に対応するインク吐出口列１００１のグループについて、インク供給系にエアが入っている可能性が無い場合は、キャップ１０２０の吸引排出動作は行わない。なお、インク供給系にエアが入っている可能性が無い場合とは、輸送前準備処理においてインク残量が閾値以上と判断された場合である。
【手続補正１２】
【補正対象書類名】明細書
【補正対象項目名】０１６２
【補正方法】変更
【補正の内容】
【０１６２】
なお、以上の説明において、吸引量Ｂの吸引排出動作は、開閉弁２１００を開放した状態で吸引ポンプ１０３０を駆動することによって行っていた。しかし、別の方法も採用可能である。例えば、開閉弁２１００を閉じた状態で吸引ポンプ１０３０を駆動して、すなわち記録ヘッド内や供給チューブ内に大きな負圧を蓄積する。その後、開閉弁２１００を開放することで、インクを負圧吸引する。これを複数回繰り返すことで吸引量Ｂの吸引排出動作を行うことができる。
【手続補正１３】
【補正対象書類名】図面
【補正対象項目名】図１６
【補正方法】変更
【補正の内容】
【図１６】
2015044357.tif 000001